(57)【要約】  内視鏡システムは、撮像した内視鏡画像を記録することができる内視鏡装置１と、内視鏡装置１に着脱自在で、撮像した内視鏡画像を送信するメモリカード３１と、メモリカード３１を通信する機能を有し、メモリカード３１から送信された内視鏡画像を記録するＰＣ３２または携帯端末３３とを備える。内視鏡装置１とＰＣ３２または携帯端末３３とは無線通信で接続されており、内視鏡装置１は、フリーズ処理が実行されたときに、内視鏡装置１からＰＣ３２または携帯端末３３へ内視鏡画像を送信する。
2012160634.tif 000002
【特許請求の範囲】
【請求項１】
撮像した内視鏡画像を記録することができる内視鏡装置と、
前記内視鏡装置に着脱自在で、撮像した前記内視鏡画像を送信する通信機器と、
前記通信機器と通信する機能を有し、前記通信機器から送信された前記内視鏡画像を記録するモバイル機器と、
を備え、
前記内視鏡装置と前記モバイル機器とは無線通信で接続されており、
前記内視鏡装置は、フリーズ処理が実行されたときに、前記内視鏡装置から前記モバイル機器へ前記内視鏡画像を送信することを特徴とする内視鏡システム。
【請求項２】
前記フリーズ処理が実行されたときに、前記内視鏡装置に前記内視鏡画像を記録することを特徴とする請求項１に記載の内視鏡システム。
【請求項３】
前記フリーズ処理が実行されたときに、前記内視鏡装置に前記内視鏡画像を記録しないことを特徴とする請求項１に記載の内視鏡システム。
【請求項４】
前記内視鏡装置で動画の撮影処理が実行されている間は、前記モバイル機器へ前記内視鏡画像の送信を禁止することを特徴とする請求項１に記載の内視鏡システム。
【請求項５】
前記内視鏡装置は、前記フリーズ処理が実行され、かつ、挿入部に設けられた湾曲部の湾曲操作が指示されているときの前記内視鏡画像のみ、前記モバイル機器に送信することを特徴とする請求項１に記載の内視鏡システム。
【請求項６】
撮像した内視鏡画像を記録することができる内視鏡装置と、
前記内視鏡装置に着脱自在で、撮像した前記内視鏡画像を送信する通信機器と、
前記通信機器と通信する機能を有し、前記通信機器から送信された前記内視鏡画像を記録するモバイル機器と、
を備え、
前記内視鏡装置と前記モバイル機器とは無線通信で接続されており、
前記内視鏡装置は、前記内視鏡画像を前記モバイル機器へ送信する第１のモードと、前記内視鏡画像を前記モバイル機器へ送信しない第２のモードとを有し、前記第２のモードから前記第１のモードに変更された際に、前記内視鏡画像を格納するフォルダを作成し、前記第１のモードから前記第２のモードに変更されるまで、前記フォルダに撮像した前記内視鏡画像を格納することを特徴とする内視鏡システム。
【請求項７】
前記内視鏡装置は、挿入部に設けられた湾曲部の湾曲操作が指示されているときの前記内視鏡画像のみ、前記フォルダに格納することを特徴とする請求項６に記載の内視鏡システム。
【請求項８】
前記内視鏡装置は、前記第１のモードにおいて、前記内視鏡画像を前記モバイル機器へ送信した場合、送信した前記内視鏡画像を新たに作成するとともに、前記新たに作成した内視鏡画像に画像送信済み情報を付加することを特徴とする請求項６に記載の内視鏡システム。
【発明の詳細な説明】
【技術分野】
【０００１】
本発明は、内視鏡システムに関し、特に、通信機能を備えた内視鏡システムに関する。
【背景技術】
【０００２】
従来、内視鏡装置は、挿入部を航空機用エンジンや配管等の被検体内に挿入することによって、被検体内の被検部位の傷及び腐蝕等の観察及び検査を行う。このような検査後に、検査者は、内視鏡装置で撮影され、記録された内視鏡画像を用いて、検査レポート等の作成を行う。この場合、検査者は、内視鏡画像が記録されている内視鏡装置を、例えば、会社や自宅等に持ち運ぶ必要があり、内視鏡装置の持ち運びに労力がかかっていた。【０００３】
そこで、検査者は、内視鏡装置で撮影された内視鏡画像をパーソナルコンピュータ（以下、ＰＣという）等のモバイル機器に転送して記録する。そして、検査者は、モバイル機器を例えば会社や自宅等に持ち帰り、記録されている内視鏡画像を用いて、検査レポート等の作成を行うようにしている。【０００４】
例えば、特開２００９−１６５８３２号公報には、ネットワークインターフェースを備えた内視鏡が、通信網を介して、デジタルビデオ等の非圧縮データを他の受信機器に転送する技術が開示されている。【０００５】
しかしながら、特開２００９−１６５８３２号公報に開示されている技術では、撮影された画像の転送を開始すると、受信機器側に画像を送信し続けてしまう。即ち、この技術では、受信機器に不必要な画像が記録されることになり、検査者は、検査レポート等を作成する際に、必要な画像を検索することに時間がかかってしまう虞がある。また、この技術では、受信機器側に画像を送信し続けるため、受信機器に大容量のメモリが必要になってしまう。【０００６】
そこで、本発明は、内視鏡装置で撮影された画像のうち、必要な画像のみをモバイル機器に送信することができる内視鏡システムを提供することを目的とする。
【発明の開示】
【課題を解決するための手段】
【０００７】
本発明の一態様による内視鏡システムは、撮像した内視鏡画像を記録することができる内視鏡装置と、前記内視鏡装置に着脱自在で、撮像した前記内視鏡画像を送信する通信機器と、前記通信機器と通信する機能を有し、前記通信機器から送信された前記内視鏡画像を記録するモバイル機器と、を備え、前記内視鏡装置と前記モバイル機器とは無線通信で接続されており、前記内視鏡装置は、フリーズ処理が実行されたときに、前記内視鏡装置から前記モバイル機器へ前記内視鏡画像を送信する。【０００８】
また、本発明の他の態様による内視鏡システムは、撮像した内視鏡画像を記録することができる内視鏡装置と、前記内視鏡装置に着脱自在で、撮像した前記内視鏡画像を送信する通信機器と、前記通信機器と通信する機能を有し、前記通信機器から送信された前記内視鏡画像を記録するモバイル機器と、を備え、前記内視鏡装置と前記モバイル機器とは無線通信で接続されており、前記内視鏡装置は、前記内視鏡画像を前記モバイル機器へ送信する第１のモードと、前記内視鏡画像を前記モバイル機器へ送信しない第２のモードとを有し、前記第２のモードから前記第１のモードに変更された際に、前記内視鏡画像を格納するフォルダを作成し、前記第１のモードから前記第２のモードに変更されるまで、前記フォルダに撮像した前記内視鏡画像を格納する。
【図面の簡単な説明】
【０００９】
【図１】第１の実施の形態に係る内視鏡装置の全体構成を示す図である。
【図２】第１の実施の形態に係る内視鏡装置の内部構成を示す図である。
【図３】第１の実施の形態の内視鏡装置１の動作の例を示すフローチャートである。
【図４】第１の実施の形態の変形例１に係る内視鏡装置１の動作の例を示すフローチャートである。
【図５】第１の実施の形態の変形例２に係る内視鏡装置１の動作の例を示すフローチャートである。
【図６】第１の実施の形態の変形例３に係る内視鏡装置１の動作の例を示すフローチャートである。
【図７】第２の実施の形態の内視鏡装置１の動作の例を示すフローチャートである。
【図８】第２の実施の形態の変形例１に係る内視鏡装置１の動作の例を示すフローチャートである。
【図９】第２の実施の形態の変形例２に係る内視鏡装置１の動作の例を示すフローチャートである。
【図１０】画像ファイルのデータ構造を示す図である。
【発明を実施するための最良の形態】
【００１０】
以下、図面を参照して本発明の実施の形態を詳細に説明する。【００１１】
（第１の実施の形態）
まず、図１及び図２に基づき、第１の実施の形態の内視鏡装置の構成について説明する。【００１２】
図１は、第１の実施の形態に係る内視鏡装置の全体構成を示す図であり、図２は、第１の実施の形態に係る内視鏡装置の内部構成を示す図である。【００１３】
図１に示すように、内視鏡装置１は、内視鏡２と、この内視鏡２に接続された装置本体３とを備えている。内視鏡２は、細長な挿入部２０と、装置全体の各種動作制御を実行する際に必要な操作を行うための操作部６とを備えている。装置本体３は、内視鏡２で撮像された被写体の画像や操作制御内容（例えば処理メニュー）等の表示を行う表示装置であるモニタ４（液晶モニタ）と、内部に制御ユニット１０（図２参照）を有する筐体５とを備えている。【００１４】
挿入部２０は、硬質な先端部２１と、例えば上下左右に湾曲可能な湾曲部２２と、柔軟性を有する可撓管部２３とを先端側から順に連設して構成されている。先端部２１には、観察視野を２つ有するステレオ光学アダプタや観察視野が１つの通常観察光学アダプタ等、各種光学アダプタが着脱自在になっている。本実施の形態では、計測を行う場合、同一被写体に関する２つの被写体像を結像可能なステレオ光学アダプタを通して、左右一対の被写体像である左画像及び右画像が撮像される。【００１５】
図２に示すように筐体５内には、内視鏡ユニット８、ＣＣＵ９（カメラコントロールユニット）、及び制御ユニット１０が設けられており、挿入部２０の基端部は内視鏡ユニット８に接続されている。内視鏡ユニット８は、先端部２１に内蔵されている光源（ＬＥＤ２９）を駆動する光源駆動装置と、挿入部２０を構成する湾曲部２２を湾曲させる湾曲装置とを備えて構成されている。【００１６】
先端部２１には撮像素子２８とＬＥＤ２９が内蔵されている。撮像素子２８は、光学アダプタを介して結像された被写体像を光電変換し、撮像信号を生成する。ＣＣＵ９には、撮像素子２８から出力された撮像信号が内視鏡ユニット８を介して入力される。この撮像信号は、ＣＣＵ９内で例えばＮＴＳＣ信号等の映像信号（画像データ）に変換されて、制御ユニット１０へ供給される。ＬＥＤ２９は、被写体に照射する照明光を発生する。本実施形態では、ＬＥＤ２９が先端部２１に内蔵されているが、ＬＥＤ２９を筐体５内に配置し、ＬＥＤ２９が発生した照明光を光ファイバで先端部２１に導くようにしてもよい。また、ＬＥＤ以外の照明を用いてもよい。【００１７】
制御ユニット１０内には、映像信号が入力される映像信号処理回路１２、ＲＯＭ１３、ＲＡＭ１４、及びカードＩ／Ｆ１５（カードインターフェイス）と、これら各種機能を主要プログラムに基づいて実行し動作制御を行うＣＰＵ１６とが設けられている。また、映像信号処理回路１２、ＲＯＭ１３、ＲＡＭ１４、カードＩ／Ｆ１５及びＣＰＵ１６は、互いにバス１７を介して接続されている。【００１８】
このバス１７には、ＣＣＵ９および内視鏡ユニット８が接続されると共に、これらＣＣＵ９や内視鏡ユニット８等の制御および動作指示を行う操作部６が接続されている。ユーザが操作部６を操作すると、その操作内容がバス１７を介してＣＰＵ１６に供給される。ＣＰＵ１６は、その操作内容に基づいて、ＣＣＵ９及び内視鏡ユニット８の動作を制御する。【００１９】
また、カードＩ／Ｆ１５には、メモリカード３１を自由に着脱することができるようになっている。メモリカード３１をカードＩ／Ｆ１５に装着することにより、ＣＰＵ１６による制御に従って、このメモリカード３１に記録されている制御処理情報や画像情報等のデータの制御ユニット１０への取り込み、あるいは制御処理情報や画像情報等のデータのメモリカード３１への記録を行うことが可能になる。【００２０】
本実施の形態では、このメモリカード３１は、例えば、Ｗｉ−Ｆｉ機能等の通信機器の性能を有するＥｙｅ−Ｆｉカードであり、撮像した画像情報等を保存できるとともに、外部装置であるＰＣ３２、携帯端末３３へ画像情報等を伝送することが可能な構成になっている。このように、内視鏡装置１、通信機器の機能を有するメモリカード３１、及び、ＰＣ３２及び携帯端末３３等のモバイル端末によって、本実施の形態の内視鏡システムが構成されている。【００２１】
映像信号処理回路１２は、ＣＣＵ９から供給された映像信号に基づく内視鏡画像と、グラフィックによる操作メニューとを合成した合成画像を表示するため、ＣＰＵ１６の制御により生成される、操作メニューに基づくグラフィック画像信号とＣＣＵ９からの映像信号を合成する処理や、モニタ４の画面上に表示するのに必要な処理等を行い、表示信号をモニタ４に供給する。また、この映像信号処理回路１２は、単に内視鏡画像、あるいは操作メニュー等の画像を単独で表示するための処理を行うことも可能である。したがって、モニタ４の画面上には、内視鏡画像、操作メニュー画像、内視鏡画像と操作メニュー画像との合成画像等が表示される。【００２２】
ＣＰＵ１６は、ＲＯＭ１３に格納されているプログラムを実行することによって、目的に応じた処理を行うように各種回路部等を制御して、内視鏡装置１全体の動作制御を行う。ＲＡＭ１４は、ＣＰＵ１６によって、データの一時格納用の作業領域として使用される。【００２３】
次に、このように構成された内視鏡装置１の動作について説明する。【００２４】
図３は、第１の実施の形態の内視鏡装置１の動作の例を示すフローチャートである。【００２５】
まず、内視鏡装置１が起動されると、ＣＰＵ１６は初期化を実行する（ステップＳ１）。続いて、ＣＰＵ１６は、操作部６から入力される信号を監視し、メニュースイッチがＯＮとなっているか否かを判定する（ステップＳ２）。メニュースイッチがＯＦＦとなっている場合には、処理がステップＳ６に進む。一方、メニュースイッチがＯＮとなっている場合、ＣＰＵ１６は、通信機器が接続されているか否かを判定、具体的には、カードＩ／Ｆ１５にメモリカード３１が装着されているか否かを判定する（ステップＳ３）。通信機器が接続されている場合、ＣＰＵ１６は、基本動作設定を行うメニュー選択Ａを実行し（ステップＳ４）、ステップＳ６に進む。一方、通信機器が接続されている場合、ＣＰＵ１６は、基本動作設定及び画像通信接続設定を行うメニュー選択Ｂを実行し（ステップＳ５）、ステップＳ６に進む。【００２６】
続いて、ＣＰＵ１６は、操作部６から入力される信号を監視し、フリーズ／記録スイッチがＯＮとなっているか否かを判定する（ステップＳ６）。フリーズ／記録スイッチがＯＦＦとなっている場合、処理がステップＳ１２に進む。一方、フリーズ／記録スイッチがＯＮとなっている場合、ＣＰＵ１６は、フリーズ／記録スイッチが短押しされた否かを判定する（ステップＳ７）。フリーズ／記録スイッチが短押しされていない、即ち、長押しされた場合、ＣＰＵ１６は、静止画及び動画を記録する画像の記録処理を実行し（ステップＳ８）、ステップＳ１２に進む。一方、フリーズ／記録スイッチが短押しされた場合、ＣＰＵ１６は、画像のフリーズ処理を実行する（ステップＳ９）。【００２７】
このように、本実施の形態では、操作部６に設けられたフリーズ／記録スイッチが短押しされた場合、画像のフリーズ処理が実行され、フリーズ／記録スイッチが長押しされた場合、画像の記録処理が行われる。この画像の記録処理では、静止画の記録処理及び動画の記録処理が含まれる。ユーザが操作部６に設けられたフリーズ／記録スイッチを長押しすると、静止画が記録され、さらに長押しすると、動画の記録処理を行うか否かをユーザに選択させる表示がモニタ４に表示されるようになっている。これにより、ユーザが操作部６を用いて動画の記録処理を行うか否かを選択することができる。このように、本実施の形態では、操作部６に設けられた１つのフリーズ／記録スイッチを用いて、フリーズ処理、静止画の記録処理及び動画の記録処理の３つの処理が行えるようになっている。なお、操作部６に３つのスイッチを設け、フリーズ処理、静止画の記録処理及び動画の記録処理を、それぞれ異なるスイッチで指示するようにしてもよい。【００２８】
続いて、ＣＰＵ１６は、ステップＳ５の処理により、画像通信接続設定がされているか否かを判定する（ステップＳ１０）。画像通信接続設定がされていない場合、処理がステップＳ１２に進む。一方、画像通信接続設定がされている場合、ＣＰＵ１６は、通信機器を有するメモリカード３１からＰＣ３２または携帯端末３３に画像を転送する画像転送処理を実行し（ステップＳ１１）、ステップＳ１２に進む。【００２９】
最後に、ＣＰＵ１６は、操作部６から入力される信号を監視し、電源用のパワースイッチがＯＦＦとなっているか否かを判定する（ステップＳ１２）。パワースイッチがＯＦＦとなっている場合には、内視鏡装置１は動作を終了する。一方、パワースイッチがＯＮとなっている場合には、処理がステップＳ２に戻り、同様の処理を繰り返す。【００３０】
以上のように、操作部６に設けられたフリーズ／記録スイッチが短押しされ、フリーズ処理が実行されると、フリーズ処理された際の画像を内視鏡装置１からＰＣ３２または携帯端末３３へ送信するようにした。フリーズ処理を実行する場合、検査者がその時の画像に興味があることを示すものであり、ＰＣ３２または携帯端末３３に記録される画像は、その後の詳細な検査に必要な画像となる。【００３１】
よって、本実施の形態の内視鏡システムによれば、内視鏡装置で撮影された画像のうち、必要な画像のみをモバイル機器に送信することができる。【００３２】
このように、フリーズ処理が実行された場合のみ、画像をＰＣ３２または携帯端末３３に送信するようにしているため、検査者は、検査に必要な画像の検査が容易になる。また、リーズ処理が実行された場合のみ、画像をＰＣ３２または携帯端末３３に送信するようにしているため、画像をＰＣ３２または携帯端末３３側では、大容量のメモリを必要としない。【００３３】
また、本実施の形態では、フリーズ処理が実行された場合、その画像を内視鏡装置１に記録せずに、ＰＣ３２または携帯端末３３に送信するようにしている。そのため、内視鏡装置１も大容量のメモリを搭載する必要がなくなる。【００３４】
（変形例１）
第１の実施の形態の内視鏡装置１は、フリーズスイッチが押下されると、内視鏡装置１に画像を保存せず、モバイル機器であるＰＣ３２あるいは携帯端末３３に画像を送信していた。変形例１の内視鏡装置１は、フリーズスイッチが押下されると、かつ、モバイル機器であるＰＣ３２あるいは携帯端末３３に画像を送信するとともに、内視鏡装置１にも画像を保存するようにしている。【００３５】
図４は、第１の実施の形態の変形例１に係る内視鏡装置１の動作の例を示すフローチャートである。なお、図４において、図３と同様の処理については、同一の符号を付して説明を省略する。【００３６】
ＣＰＵ１６は、ステップＳ９で画像のフリーズ処理が実行され、ステップＳ１０で画像通信接続設定がされていると判定すると、ステップＳ１１で画像転送処理を実行し、ステップＳ８に進む。そして、ＣＰＵ１６は、ステップＳ８で画像の記録処理を実行し、ステップＳ１２でパワースイッチがＯＦＦとなっているか否かを判定する。その他の処理は、第１の実施の形態と同様である。【００３７】
以上の処理により、フリーズ処理が実行された際に、内視鏡装置１と、受信機器側のＰＣ３２または携帯端末３３とに画像が保存されるので、画像のバックアップをすることができる。【００３８】
（変形例２）
第１の実施の形態の内視鏡装置１は、フリーズスイッチが押下されると、ＰＣ３２あるいは携帯端末３３に画像を送信していたが、変形例２の内視鏡装置１は、静止画の撮影がされた際にもＰＣ３２あるいは携帯端末３３に静止画を送信するようにしている。ただし、動画の撮影処理中はＣＰＵ１６のパワーを多く使うため、動画をＰＣ３２あるいは携帯端末３３に送信する画像転送処理は禁止している。【００３９】
図５は、第１の実施の形態の変形例２に係る内視鏡装置１の動作の例を示すフローチャートである。なお、図５において、図３と同様の処理については、同一の符号を付して説明を省略する。【００４０】
ＣＰＵ１６は、ステップＳ７でフリーズ／記録スイッチが短押しされていない、即ち、長押しされたと判定した場合、静止画の記録処理を実行する（ステップＳ２１）。そして、ＣＰＵ１６は、フリーズ／記録スイッチがさらに長押しされているか否かを検出することにより、動画撮影が行われるか否かを判定する（ステップＳ２２）。動画撮影が行われない場合、ＣＰＵ１６は、ステップＳ１０で画像通信接続設定を判定した後、画像通信接続設定がされていると、ステップＳ１１で記録した静止画をＰＣ３２あるいは携帯端末３３に転送する画像転送処理を実行する。一方、ステップＳ２２で動画撮影が行われると判定された場合、ＣＰＵ１６は、動画の記録処理を実行し（ステップＳ２３）、処理がステップＳ１２に進む。【００４１】
以上の処理により、フリーズ処理及び静止画の記録処理が実行された場合は、画像をＰＣ３２あるいは携帯端末３３に送信し、動画の記録処理が実行されている場合は、画像をＰＣ３２あるいは携帯端末３３に送信することを禁止する。このように、動画の記録処理を実行している場合、内視鏡装置１側の処理が重くなる、即ち、システムがビジー状態となるので、この間の画像送信処理を禁止し、内視鏡装置１の操作性を損なわないようにしている。【００４２】
（変形例３）
第１の実施の形態の内視鏡装置１は、フリーズスイッチが押下されると、ＰＣ３２あるいは携帯端末３３に画像を送信していたが、変形例２の内視鏡装置１は、フリーズスイッチが押下され、かつ、湾曲部２２の湾曲操作を検知すると、ＰＣ３２あるいは携帯端末３３に画像を送信するようにしている。【００４３】
図６は、第１の実施の形態の変形例３に係る内視鏡装置１の動作の例を示すフローチャートである。なお、図６において、図３と同様の処理については、同一の符号を付して説明を省略する。【００４４】
ＣＰＵ１６は、ステップＳ９で画像のフリーズ処理が実行され、ステップＳ１０で画像通信接続設定がされていると判定すると、操作部６から入力される信号を監視し、湾曲部２２の湾曲操作があるか否かを判定する（ステップＳ３１）。湾曲部２２の湾曲操作がある場合、ＣＰＵ１６は、ステップＳ１１で画像転送処理を実行し、処理がステップＳ１２に進む。一方、湾曲部２２の湾曲操作がない場合、処理がステップＳ１２に進む。【００４５】
以上の処理により、操作部６に設けられたフリーズ／記録スイッチが短押しされてフリーズ処理が実行され、かつ、湾曲部２２の湾曲操作が指示されている場合のみ、画像をＰＣ３２または携帯端末３３に送信する。一般に、湾曲部２２の湾曲操作が指示されていないときは、例えば、被検体内に挿入部２０を挿入している場合であり、湾曲部２２の湾曲操作が指示されているときは、詳細な検査を実行している場合の可能性が高い。そのため、ＰＣ３２または携帯端末３３に記録される画像は、第１の実施の形態に比べ、その後の詳細な検査に必要な画像となる可能性が高くなる。【００４６】
（第２の実施の形態）
次に、第２の実施の形態について説明する。【００４７】
第２の実施の形態の内視鏡装置１は、第１の実施の形態の内視鏡装置１と同様の構成のため説明を省略する。第１の実施の形態の内視鏡装置１は、フリーズスイッチが押下されると、ＰＣ３２あるいは携帯端末３３に画像を送信していたが、第２の実施の形態の内視鏡装置１は、画像をまとめてＰＣ３２あるいは携帯端末３３に送信するようにしている。【００４８】
そのため、ＣＰＵ１６は、ユーザによって画像転送モードに設定されると、画像転送用フォルダを作成し、作成した画像転送用フォルダの設定を新規フォルダに変更する。そして、ＣＰＵ１６は、この新規フォルダに撮影した画像をまとめて記録した後、画像転送処理を実行する。【００４９】
次に、このように構成された内視鏡装置１の動作について説明する。【００５０】
図７は、第２の実施の形態の内視鏡装置１の動作の例を示すフローチャートである。なお、図７において、図３と同様の処理については、同一の符号を付して説明を省略する。  ステップＳ３で通信機器が接続されていると判定された場合、ＣＰＵ１６は、操作部６から入力される信号を監視し、画像転送モードか否かを判定する（ステップＳ４１）。画像転送モード（第１のモード）の場合、より具体的には、画像伝送を行わないモード（第２のモード）から画像転送モード（第１のモード）に変更されると、ＣＰＵ１６は、画像転送用フォルダを作成する（ステップＳ４２）。そして、ＣＰＵ１６は、画像保存用フォルダの設定を新規フォルダに変更し（ステップＳ４３）、処理がステップＳ４に進む。一方、画像転送モードでない場合、より具体的には、画像転送モード（第１のモード）から画像伝送を行わないモード（第２のモード）に変更されると、ＣＰＵ１６は、画像保存用フォルダの設定を通常フォルダに変更し（ステップＳ４４）、処理がステップＳ４に進む。【００５１】
続いて、ステップＳ８において、画像の記録処理が実行されると、ＣＰＵ１６は、新規フォルダに画像の記録を行う。この記録処理では、画像転送モード（第１のモード）から画像伝送を行わないモード（第２のモード）に変更されるまで、新規フォルダに画像の記録を行う。【００５２】
続いて、ＣＰＵ１６は、通信機器が接続されているか否かを判定する（ステップＳ４５）。通信機器が接続されていない場合、処理がステップＳ１２に進む。一方、通信機器が接続されている場合、ＣＰＵ１６は、操作部６から入力される信号を監視し、画像転送を行うか否かを判定する（ステップＳ４６）。この場合、モニタ４に画像転送を行うか否かをユーザに問い合わせる表示をさせて、ユーザが操作部６を操作することで画像転送を行うか否かを決定するようにする。なお、例えば、新規フォルダに所定量の画像が記録された場合に、自動的に画像転送を行うようにしてもよい。【００５３】
ステップＳ４６において、画像転送を行わない場合、処理がステップＳ１２に進む。一方、ステップＳ４６において、画像転送を行う場合、ＣＰＵ１６は、画像が記録された新規フォルダをＰＣ３２または携帯端末３３に送信する画像転送処理を行い（ステップＳ４７）、処理がステップＳ１２に進む。【００５４】
以上の処理により、内視鏡装置１において、画像の記録処理が実行されフォルダ毎に記録された画像を、ＰＣ３２または携帯端末３３に一括で送信するため、ＰＣ３２または携帯端末３３での画像の管理を容易にすることができる。【００５５】
（変形例１）
第２の実施の形態の内視鏡装置１は、フリーズ／記録スイッチが押下されると、新規フォルダに画像を記録していたが、変形例１の内視鏡装置１は、フリーズ／記録スイッチが押下され、かつ、湾曲部２２の湾曲操作を検知すると、新規フォルダに画像を記録するようにしている。【００５６】
図８は、第２の実施の形態の変形例１に係る内視鏡装置１の動作の例を示すフローチャートである。なお、図８において、図７と同様の処理については、同一の符号を付して説明を省略する。【００５７】
ステップＳ７において、フリーズ／記録スイッチが短押しされていない場合、ＣＰＵ１６は、操作部６から入力される信号を監視し、湾曲部２２の湾曲操作があるか否かを判定する（ステップＳ５１）。湾曲部２２の湾曲操作がある場合、ＣＰＵ１６は、ステップＳ８で画像の記録処理を実行し、処理がステップＳ４５に進む。一方、湾曲部２２の湾曲操作がない場合、画像の記録処理が行われず、処理がステップＳ１２に進む。【００５８】
以上の処理により、画像の記録処理が実行され、かつ、湾曲部２２の湾曲操作が指示されているときの画像がフォルダに記録され、ＰＣ３２または携帯端末３３に一括で送信されるため、ＰＣ３２または携帯端末３３での画像の管理を容易にするとともに、検査に必要な画像のみを送信することができる。【００５９】
（変形例２）
第２の実施の形態の変形例２の内視鏡装置１は、図８のステップＳ４７の画像転送処理後に、転送した画像を新たに作成し、作成した画像に画像転送が実行されたことを示す画像転送済み情報を付与するようにしている。【００６０】
図９は、第２の実施の形態の変形例２に係る内視鏡装置１の動作の例を示すフローチャートである。なお、図９において、図８と同様の処理については、同一の符号を付して説明を省略する。【００６１】
ステップＳ４６で画像転送を行うと判定され、ステップＳ４７で画像転送処理が実行されると、画像転送した画像が新たに作成され、新たに作成された画像に画像転送済み情報が付与される（ステップＳ６１）。そして、ステップＳ６１の処理が実行されると、処理がステップＳ１２に進む。【００６２】
画像転送済み情報の付与は、新たに作成された画像が記録されている画像ファイルのファイル名の最後に所定の文字列、例えば、「_ａ」という文字列を追加することにより実現される。例えば、ファイル名が「ｘｘｘｘ」及び「ｙｙｙｙ」の画像をそれぞれ転送した場合、これらの画像ファイルのファイル名の最後に「_ａ」という文字列が追加され、ファイル名がそれぞれ「ｘｘｘｘ_ａ」及び「ｙｙｙｙ_ａ」となる。【００６３】
また、画像転送済み情報の付与は、新たに作成された画像の画像ファイル内に画像転送済み情報を格納することにより実現してもよい。【００６４】
図１０は、画像ファイルのデータ構造を示す図である。図１０に示すように、画像ファイルは、所定のデータを格納することができるＥＸＩＦ領域３４と、画像データが格納される画像データ領域３５とにより構成される。画像転送処理が実行された場合、このＥＸＩＦ領域３４に画像転送済み情報が格納される。【００６５】
なお、画像転送済み情報の付与は、図８のステップＳ４７の画像転送処理後に実行しているが、これに限定されることなく、図３のステップＳ１１の画像転送処理後、あるいは、図７のステップＳ４７の画像転送処理後に実行してもよい。【００６６】
以上の処理により、検査者は、内視鏡装置１に保存されている画像のうち、受信機器側のＰＣ３２または携帯端末３３に送信された画像を容易に把握することができる。【００６７】
なお、本明細書におけるフローチャート中の各ステップは、その性質に反しない限り、実行順序を変更し、複数同時に実行し、あるいは実行毎に異なった順序で実行してもよい。【００６８】
本発明は、上述した実施の形態及び変形例に限定されるものではなく、本発明の要旨を変えない範囲において、種々の変更、改変等が可能である。
【図１】
2012160634.tif 000003
【図２】
2012160634.tif 000004
【図３】
2012160634.tif 000005
【図４】
2012160634.tif 000006
【図５】
2012160634.tif 000007
【図６】
2012160634.tif 000008
【図７】
2012160634.tif 000009
【図８】
2012160634.tif 000010
【図９】
2012160634.tif 000011
【図１０】
2012160634.tif 000012
【手続補正書】
【提出日】平成26年5月30日(2014.5.30)
【手続補正１】
【補正対象書類名】明細書
【補正対象項目名】０００７
【補正方法】変更
【補正の内容】
【０００７】
本発明の一態様による内視鏡システムは、撮像した内視鏡画像を記録することができる内視鏡装置と、前記内視鏡装置に着脱自在で、撮像した前記内視鏡画像を送信する通信機器と、前記通信機器と通信する機能を有し、前記通信機器から送信された前記内視鏡画像を記録するモバイル機器と、を備え、前記内視鏡装置と前記モバイル機器とは無線通信で接続されており、前記内視鏡装置は、フリーズ処理が実行され、かつ、挿入部に設けられた湾曲部の湾曲操作が指示されているときの前記内視鏡画像のみ、前記内視鏡装置から前記モバイル機器へ送信する。
【手続補正２】
【補正対象書類名】特許請求の範囲
【補正対象項目名】全文
【補正方法】変更
【補正の内容】
【特許請求の範囲】
【請求項１】
撮像した内視鏡画像を記録することができる内視鏡装置と、
前記内視鏡装置に着脱自在で、撮像した前記内視鏡画像を送信する通信機器と、
前記通信機器と通信する機能を有し、前記通信機器から送信された前記内視鏡画像を記録するモバイル機器と、
を備え、
前記内視鏡装置と前記モバイル機器とは無線通信で接続されており、
前記内視鏡装置は、フリーズ処理が実行され、かつ、挿入部に設けられた湾曲部の湾曲操作が指示されているときの前記内視鏡画像のみ、前記内視鏡装置から前記モバイル機器へ送信することを特徴とする内視鏡システム。
【請求項２】
前記フリーズ処理が実行されたときに、前記内視鏡装置に前記内視鏡画像を記録することを特徴とする請求項１に記載の内視鏡システム。
【請求項３】
前記フリーズ処理が実行されたときに、前記内視鏡装置に前記内視鏡画像を記録しないことを特徴とする請求項１に記載の内視鏡システム。
【請求項４】
前記内視鏡装置で動画の撮影処理が実行されている間は、前記モバイル機器へ前記内視鏡画像の送信を禁止することを特徴とする請求項１に記載の内視鏡システム。
【請求項５】
撮像した内視鏡画像を記録することができる内視鏡装置と、
前記内視鏡装置に着脱自在で、撮像した前記内視鏡画像を送信する通信機器と、
前記通信機器と通信する機能を有し、前記通信機器から送信された前記内視鏡画像を記録するモバイル機器と、
を備え、
前記内視鏡装置と前記モバイル機器とは無線通信で接続されており、
前記内視鏡装置は、前記内視鏡画像を前記モバイル機器へ送信する第１のモードと、前記内視鏡画像を前記モバイル機器へ送信しない第２のモードとを有し、前記第２のモードから前記第１のモードに変更された際に、前記内視鏡画像を格納するフォルダを作成し、前記第１のモードから前記第２のモードに変更されるまで、前記フォルダに撮像した前記内視鏡画像を格納することを特徴とする内視鏡システム。
【請求項６】
前記内視鏡装置は、挿入部に設けられた湾曲部の湾曲操作が指示されているときの前記内視鏡画像のみ、前記フォルダに格納することを特徴とする請求項５に記載の内視鏡システム。
【請求項７】
前記内視鏡装置は、前記第１のモードにおいて、前記内視鏡画像を前記モバイル機器へ送信した場合、送信した前記内視鏡画像を新たに作成するとともに、前記新たに作成した内視鏡画像に画像送信済み情報を付加することを特徴とする請求項５に記載の内視鏡システム。
【国際調査報告】
2012160634.tif 000013
2012160634.tif 000014
2012160634.tif 000015
2012160634.tif 000016